(57)【特許請求の範囲】
【請求項１】
被検眼の眼底に光を照射する照明手段と、
移動可能に構成されると共に前記照明手段により照射されて前記眼底により反射される反射光の光路（以下、“反射光路”とする）中に配置された場合に前記反射光を２つの光路（以下、“第１光路”及び“第２光路”とする）に分割する光路分割手段と、
移動可能に構成されると共に前記反射光路中に配置された場合に前記反射光を前記第２光路に導く光路補正手段と、
前記第１光路を進んできた反射光を受光できる位置に第１カメラを取り付ける第１カメラ取付部と、
前記第２光路を進んできた反射光を受光できる位置に配置される第２カメラと、
前記光路分割手段及び前記光路補正手段を移動可能に支持して該光路分割手段及び該光路補正手段の一方を選択的に前記反射光路中に配置すると共に該光路分割手段及び該光路補正手段の他方を前記反射光路外に配置して光路の切り換えを行う反射光路切換手段と、
第１の波長範囲の光を透過する第１フィルタと、
前記照明手段と前記眼底との間の光路（以下、“照明光路”とする）中の位置（以下、“第１フィルタ挿入位置”とする）と該照明光路外の位置（以下、“第１フィルタ抜去位置”とする）とに前記第１フィルタを移動可能に支持する第１フィルタ移動手段と、
第２の波長範囲の光を透過する第２フィルタと、
前記光路補正手段が配置される前記反射光路中の位置よりも上流側の位置（以下、“第２フィルタ挿入位置”とする）と該反射光路外の位置（以下、“第２フィルタ抜去位置”とする）とに前記第２フィルタを移動可能に支持する第２フィルタ移動手段と、
前記第１フィルタ移動手段を駆動して前記第１フィルタを前記第１フィルタ抜去位置に移動させ、前記第２フィルタ移動手段を駆動して前記第２フィルタを前記第２フィルタ抜去位置に移動させ、前記反射光路切換手段を駆動して前記光路分割手段を前記反射光路中に配置すると共に前記光路補正手段を前記反射光路外に配置してなるモード（以下、“第１撮影モード”とする）と、前記第１フィルタ移動手段を駆動して前記第１フィルタを前記第１フィルタ挿入位置に移動させ、前記第２フィルタ移動手段を駆動して前記第２フィルタを前記第２フィルタ挿入位置に移動させ、前記反射光路切換手段を駆動して前記光路分割手段を前記反射光路外に配置すると共に前記光路補正手段を前記反射光路中に配置してなるモード（以下、“第２撮影モード”とする）とに切り換え可能な撮影モード切換手段と、
を備えたことを特徴とする眼底撮影システム。
【請求項２】
前記第２カメラは静止画及び動画を撮影できるように構成され、前記第１撮影モード及び前記第２撮影モードにおいて該第２カメラによって前記眼底を観察する際に動画撮影できる、
ことを特徴とする請求項１に記載の眼底撮影システム。
【請求項３】
前記第２カメラ中の撮像素子にて出力される画像信号を増幅する増幅手段と、
前記第１撮像モードにおいて前記第２カメラにより前記眼底を観察する場合と、前記第２撮像モードにおいて前記第２カメラにより前記眼底を観察する場合と、前記第２撮像モードにおいて前記第２カメラにより前記眼底を撮影する場合とで、前記増幅手段のゲインを調整するゲイン調整手段と、
を備えたことを特徴とする請求項２に記載の眼底撮影システム。
【請求項４】
前記第１フィルタは、５００ｎｍ〜６００ｎｍの波長範囲の光を透過させることができるエキサイタフィルタであり、前記第２フィルタは、６４０ｎｍ〜７４０ｎｍの波長範囲の光を透過させることができるバリアフィルタである、
ことを特徴とする請求項１に記載の眼底撮影システム。
【請求項５】
前記光路分割手段は、５０ｎｍ〜６５０ｎｍの波長範囲での光の反射率が９８％以上で、８００ｎｍ〜９５０ｎｍの波長範囲での光の透過率が９０％のダイクロイックミラーであり、
前記光路補正手段は、６３０ｎｍ〜９５０ｎｍの波長範囲での透過率が９８％程度のガラスである、
ことを特徴とする請求項４に記載の眼底撮影システム。
【発明の詳細な説明】
【技術分野】
【０００１】
本発明は、被検眼の眼底を複数のカメラで撮影できるように構成された眼底撮影システムに関する。
【背景技術】
【０００２】
従来、被検眼の観察及び／又は撮影を行うように構成された眼底撮影システムについては種々の構造のものが提案されており、カラー撮影と自発蛍光撮影（ＦＡＦ撮影）の２つの撮影モードを実施できるようにしたものも提案されている（例えば、特許文献１参照）。【０００３】
図４（ａ）は、従来の眼底撮影システムの構成の一例を示すブロック図であり、符号Ｃ１は、カラー撮影を行うための第１カメラを示し、符号Ｃ２は、カラー撮影時のアライメントや自発蛍光撮影を行うための第２カメラを示し、符号３０は、被検眼の眼底（不図示）からの光ＬＢを前記第１カメラＣ１及び前記第２カメラＣ２に分割して導くためのダイクロイックミラーを示している。そして、前記第２カメラＣ２による自発蛍光撮影を行う場合には前記ダイクロイックミラー３０は光路外に移動され（同図（ｂ）の矢印Ｑ参照）、前記光ＬＢが分割されずに該第２カメラＣ２に受光されるように構成されていた。
【先行技術文献】
【特許文献】
【０００４】
【特許文献１】特開２０１４−２２６３７１号公報
【発明の概要】
【発明が解決しようとする課題】
【０００５】
しかしながら、前記ダイクロイックミラー３０を光路外に移動させてしまうと、光ＬＢの光路は前記第２カメラＣ２の光軸Ｒからずれてしまい（図４（ｂ）の符号δ参照）、適正な画像を取得できないという問題があった。【０００６】
本発明は、上述の問題を解消することのできる眼底撮影システムを提供することを目的とするものである。
【課題を解決するための手段】
【０００７】
請求項１に係る発明は、図１に例示するものであって、被検眼（Ｅ）の眼底に光を照射する照明手段（２）と、
移動可能に構成されると共に前記照明手段（２）により照射されて前記眼底により反射される反射光（ＬＢ）の光路（符号ＰＢ参照。以下、“反射光路”とする）中に配置された場合に前記反射光（ＬＢ）を２つの光路（ＰＢ１，ＰＢ２）（以下、“第１光路”及び“第２光路”とする）に分割する光路分割手段（３０）と、
移動可能に構成されると共に前記反射光路（ＰＢ）中に配置された場合に前記反射光（ＬＢ）を前記第２光路（ＰＢ２）に導く光路補正手段（３１）と、
前記第１光路（ＰＢ１）を進んできた反射光（ＬＢ）を受光できる位置に第１カメラ（Ｃ１）を取り付ける第１カメラ取付部（４）と、
前記第２光路（ＰＢ２）を進んできた反射光（ＬＢ）を受光できる位置に配置される第２カメラ（Ｃ２）と、
前記光路分割手段（３０）及び前記光路補正手段（３１）を移動可能に支持して該光路分割手段（３０）及び該光路補正手段（３１）の一方を選択的に前記反射光路（ＰＢ）中に配置すると共に該光路分割手段（３０）及び該光路補正手段（３１）の他方を前記反射光路外に配置して光路の切り換えを行う反射光路切換手段（３２）と、
第１の波長範囲の光を透過する第１フィルタ（Ｆ１）と、
前記照明手段（２）と前記眼底との間の光路（符号ＰＡ参照。以下、“照明光路”とする）中の位置（以下、“第１フィルタ挿入位置”とする）と該照明光路外の位置（以下、“第１フィルタ抜去位置”とする）とに前記第１フィルタ（Ｆ１）を移動可能に支持する第１フィルタ移動手段（Ｇ１）と、
第２の波長範囲の光を透過する第２フィルタ（Ｆ２）と、
前記光路補正手段（３１）が配置される前記反射光路（ＰＢ）中の位置よりも上流側の位置（以下、“第２フィルタ挿入位置”とする）と該反射光路外の位置（以下、“第２フィルタ抜去位置”とする）とに前記第２フィルタ（Ｆ２）を移動可能に支持する第２フィルタ移動手段（Ｇ２）と、
前記第１フィルタ移動手段（Ｇ１）を駆動して前記第１フィルタ（Ｆ１）を前記第１フィルタ抜去位置に移動させ、前記第２フィルタ移動手段（Ｇ２）を駆動して前記第２フィルタ（Ｆ２）を前記第２フィルタ抜去位置に移動させ、前記反射光路切換手段（３２）を駆動して前記光路分割手段（３０）を前記反射光路（ＰＢ）中に配置すると共に前記光路補正手段（３１）を前記反射光路外に配置してなるモード（以下、“第１撮影モード”とする）と、前記第１フィルタ移動手段（Ｇ１）を駆動して前記第１フィルタ（Ｆ１）を前記第１フィルタ挿入位置に移動させ、前記第２フィルタ移動手段（Ｇ２）を駆動して前記第２フィルタ（Ｆ２）を前記第２フィルタ挿入位置に移動させ、前記反射光路切換手段（３２）を駆動して前記光路分割手段（３０）を前記反射光路外に配置すると共に前記光路補正手段（３１）を前記反射光路（ＰＢ）中に配置してなるモード（以下、“第２撮影モード”とする）とに切り換え可能な撮影モード切換手段（５）と、を備えたことを特徴とする眼底撮影システム（１）に関する。【０００８】
請求項２に係る発明は、請求項１に係る発明において、前記第２カメラ（Ｃ２）が静止画及び動画を撮影できるように構成され、前記第１撮影モード及び前記第２撮影モードにおいて該第２カメラ（Ｃ２）によって前記眼底を観察する際に動画撮影できることを特徴とする。【０００９】
請求項３に係る発明は、請求項２に係る発明において、前記第２カメラ（Ｃ２）中の撮像素子（Ｃ２ａ）にて出力される画像信号を増幅する増幅手段（９０）と、
前記第１撮像モードにおいて前記第２カメラ（Ｃ２）により前記眼底を観察する場合と、前記第２撮像モードにおいて前記第２カメラ（Ｃ２）により前記眼底を観察する場合と、前記第２撮像モードにおいて前記第２カメラ（Ｃ２）により前記眼底を撮影する場合とで、前記増幅手段（９０）のゲインを調整するゲイン調整手段（９１）と、を備えたことを特徴とする。【００１０】
請求項４に係る発明は、請求項１に記載の発明において、前記第１フィルタ（Ｆ１）が、５００ｎｍ〜６００ｎｍの波長範囲の光を透過させることができるエキサイタフィルタであり、前記第２フィルタ（Ｆ２）が、６４０ｎｍ〜７４０ｎｍの波長範囲の光を透過させることができるバリアフィルタである、ことを特徴とする。【００１１】
請求項５に係る発明は、請求項４に記載の発明において、前記光路分割手段（３０）が、５０ｎｍ〜６５０ｎｍの波長範囲での光の反射率が９８％以上で、８００ｎｍ〜９５０ｎｍの波長範囲での光の透過率が９０％のダイクロイックミラーであり、
前記光路補正手段（３１）は、６３０ｎｍ〜９５０ｎｍの波長範囲での透過率が９８％程度のガラスであることを特徴とする。【００１２】
なお、括弧内の番号などは、図面における対応する要素を示す便宜的なものであり、従って、本記述は図面上の記載に限定拘束されるものではない。
【発明の効果】
【００１３】
請求項１、２、４及び５に係る発明によれば、前記第１撮影モードにおいては前記反射光は前記光路分割手段によって分割されて前記第１カメラ及び前記第２カメラの両方に受光されるように構成されるので、前記第２カメラで眼底の観察を行いながら、適宜前記第１カメラで眼底の撮影（好ましくはカラー撮影）を行うことができる。また、前記第２撮影モードにおいては前記反射光は前記第１カメラに受光されるので、前記第１フィルタ及び前記第２フィルタとして適切なフィルタを使用することにより、自発蛍光撮影を行うことができる。さらに、前記第２撮影モードを実行する際には前記光路補正手段が配置されて前記反射光を前記第２カメラの方に導くように構成されているため、該第２カメラの光軸と該反射光との間にズレは発生せずに適正な眼底画像を撮影することができる。【００１４】
請求項３に係る発明によれば、いずれの撮影をする場合においても、均一かつ適正な明るさの画像を得ることができる。
【図面の簡単な説明】
【００１５】
【図１】図１は、本発明に係る眼底撮影システムの構成の一例を示すブロック図である。
【図２】図２は、光路分割手段、第１フィルタ及び第２フィルタ等の光学特性の一例を示す光学特性図であり、Ｈ１は光路分割手段の反射率、Ｈ２は第１フィルタの透過率、Ｈ２は第２フィルタの透過率を示している。
【図３】図３（ａ）は、穴あきミラーの形状の一例を示す正面図であり、同図（ｂ）は、その側面図であり、同図（ｃ）は、リングスリットの形状の一例を示す正面図である。
【図４】図４（ａ）（ｂ）は、従来の問題点を説明するための模式図であり、同図（ｃ）は、本発明の効果を説明するための模式図である。
【発明を実施するための形態】
【００１６】
以下、図１乃至図４に沿って、本発明の実施の形態について説明する。
【００１７】
本発明に係る眼底撮影システムは、図１に符号１で例示するものであって、少なくとも以下のものを備えている。すなわち、
・  被検眼Ｅの眼底に照明光ＬＡを照射する照明手段２
・  移動可能に構成されると共に前記照明手段２により照射されて前記眼底により反射される反射光ＬＢの光路（以下、“反射光路”とする）ＰＢ中に配置された場合に前記反射光ＬＢを２つの光路（以下、“第１光路”及び“第２光路”とする）ＰＢ１，ＰＢ２に分割する光路分割手段３０
・  移動可能に構成されると共に前記反射光路ＰＢ中に配置された場合に前記反射光ＬＢを前記第２光路ＰＢ２に導く光路補正手段３１
・  前記第１光路ＰＢ１を進んできた反射光ＬＢを受光できる位置に第１カメラＣ１を取り付ける第１カメラ取付部４
・  前記第２光路ＰＢ２を進んできた反射光ＬＢを受光できる位置に配置される第２カメラＣ２
・  前記光路分割手段３０及び前記光路補正手段３１を移動可能に支持して該光路分割手段３０及び該光路補正手段３１の一方を選択的に前記反射光路ＰＢ中に配置すると共に該光路分割手段３０及び該光路補正手段３１の他方を前記反射光路外に配置して光路の切り換えを行う反射光路切換手段３２
・  第１の波長範囲の光を透過する第１フィルタＦ１
・  前記照明手段２と前記眼底との間の光路（以下、“照明光路”とする）ＰＡ中の位置（以下、“第１フィルタ挿入位置”とする）と該照明光路外の位置（以下、“第１フィルタ抜去位置”とする）とに前記第１フィルタＦ１を移動可能に支持する第１フィルタ移動手段Ｇ１
・  第２の波長範囲の光を透過する第２フィルタＦ２
・  前記光路補正手段３１が配置される前記反射光路ＰＢ中の位置よりも上流側の位置（つまり、前記眼底と前記光路補正手段３１との間の反射光路ＰＢ中の位置であって、以下、“第２フィルタ挿入位置”とする）と該反射光路外の位置（以下、“第２フィルタ抜去位置”とする）とに前記第２フィルタＦ２を移動可能に支持する第２フィルタ移動手段Ｇ２
・  前記第１フィルタ移動手段Ｇ１を駆動して前記第１フィルタＦ１を前記第１フィルタ抜去位置に移動させ、前記第２フィルタ移動手段Ｇ２を駆動して前記第２フィルタＦ２を前記第２フィルタ抜去位置に移動させ、前記反射光路切換手段３２を駆動して前記光路分割手段３０を前記反射光路ＰＢ中に配置すると共に前記光路補正手段３１を前記反射光路外に配置してなるモード（以下、“第１撮影モード”とする）と、前記第１フィルタ移動手段Ｇ１を駆動して前記第１フィルタＦ１を前記第１フィルタ挿入位置に移動させ、前記第２フィルタ移動手段Ｇ２を駆動して前記第２フィルタＦ２を前記第２フィルタ挿入位置に移動させ、前記反射光路切換手段３２を駆動して前記光路分割手段３０を前記反射光路外に配置すると共に前記光路補正手段３１を前記反射光路ＰＢ中に配置してなるモード（以下、“第２撮影モード”とする）とに切り換え可能な撮影モード切換手段５
【００１８】
なお、本明細書では、図１で符号Ｄで示す部分（つまり、前記照明手段２や前記フィルタＦ１，Ｆ２や前記フィルタ移動手段Ｇ１，Ｇ２や前記光路分割手段３０や前記光路補正手段３１や前記反射光路切換手段３２等を含む部分）を適宜“眼底撮影装置”と称することとする。そして、本発明に係る眼底撮影システム１は、
・  該眼底撮影装置Ｄと、
・  該眼底撮影装置Ｄの前記第１カメラ取付部４に取り付けられる第１カメラＣ１と、
により構成すると良い。ここで、ＨＤＤやＳＳＤや記録メディア（例えば、ＳＤカードやＵＳＢメモリーやコンパクトフラッシュ（登録商標）カードなど）からなるデータ保存部（不図示）を前記眼底撮影装置Ｄに配置しておいて、前記第１カメラＣ１や前記第２カメラＣ２が撮影した画像は該データ保存部に保存するようにしても良い。また、該眼底撮影装置Ｄには、画像転送部８を介してパソコンＰＣ（具体的には、デスクトップパソコンやノートパソコンやタブレットＰＣやスマートフォンなど）を有線又は無線で接続できるようにしておいて、該第１カメラＣ１や前記第２カメラＣ２が撮影した画像は該画像転送部８を介して該パソコンＰＣに取り込めるようにしても良い。さらに、該パソコンＰＣにはモニターＭを接続しておいて、各カメラＣ１，Ｃ２が撮影した画像を該モニターＭに表示できるようにしても良い。
【００１９】
ところで、前記照明手段２としては、
・  ハロゲンランプ、またはＬＥＤ等からなる観察用の光源２０や、
・  キセノンフラッシュランプまたは高輝度ＬＥＤ等からなる撮影用の光源２１、
を挙げることができる。そして、それらの光源２０，２１からの光が照射される側（つまり、照明光路ＰＡの下流側）には、拡散板２２やリングスリット６０や第１フィルタＦ１や照明光学系６１，６３やリングスリット６２や穴あきミラー６４を配置し、被検眼Ｅに対峙する位置には対物レンズ６５を配置すると良い。また、該穴あきミラー６４の孔部には撮影絞り６６を配置し、該撮影絞り６６の下流側には、前記反射光路ＰＢ上の位置を移動することによりピントを調整するフォーカスレンズ７０やハーフミラー７１や内部固視灯７２などを配置すると良い。
【００２０】
一方、前記光路分割手段３０としては、ダイクロイックミラー（好ましくは、図２に符号Ｈ１で例示するように、カラー撮影に使用される波長範囲である４５０ｎｍ〜６５０ｎｍの波長範囲での光の反射率が９８％以上で、撮影前の赤外光での観察時に使用される波長範囲である８００ｎｍ〜９５０ｎｍの波長範囲での光の透過率が９０％のもの）を挙げることができ、前記光路補正手段３１としては、所定の波長範囲に関して前記第１光路ＰＢ１へ進む反射光の光量を減らして前記第２光路ＰＢ２へ進む反射光の光量を増やすことができるようなもの（例えば、自発蛍光撮影に使用される波長範囲である６３０ｎｍ〜９５０ｎｍの波長範囲での透過率が９８％程度の透明なガラス）を挙げることができる。なお、本発明においては、前記光路補正手段３１により反射光ＬＢが導かれる光路が、前記光路分割手段３０により分割される２つの光路ＰＢ１，ＰＢ２の内の１つの光路ＰＢ２と略一致するように構成されているが、そのような構成にする方法としては種々の方法が考えられる。すなわち、
・  前記光路分割手段３０及び前記光路補正手段３１の形状（厚み）や屈折率などを略等しくし、それらの手段３０，３１を配置する位置（反射光路中の位置）や角度（姿勢）を略等しくして該光路分割手段３０を透過した後の光の光路と該光路補正手段３１を透過した後の光の光路とが略等しくなるようにする方法
・  前記光路分割手段３０及び前記光路補正手段３１の形状及び／又は屈折率は略等しくないが、それらの手段３０，３１を配置する位置（反射光路中の位置）や角度（姿勢）を適正なものにして該光路分割手段３０を透過した後の光の光路と該光路補正手段３１を透過した後の光の光路とが略等しくなるようにする方法
【００２１】
そして、前記反射光路切換手段３２としては、駆動モータや種々のアクチュエータを挙げることができる。
【００２２】
また一方、上述した第１カメラＣ１としては、カラー撮影用の市販のカメラ（好ましくは、カラー撮影が可能なデジタルカメラ）を挙げることができ、前記第２カメラＣ２としては、自発蛍光撮影や赤外光による観察及び撮影もできる白黒カメラを挙げることができ、静止画だけでなく動画も撮影できるように構成されていると良い。また、この第２カメラＣ２は、前記第１カメラＣ１と同様に前記眼底撮影装置Ｄに対して着脱できるようにしておいても良い。
【００２３】
さらに一方、前記第１フィルタＦ１としては、前記第１の波長範囲が５００ｎｍ〜６００ｎｍの波長範囲であるエキサイタフィルタ（つまり、５００ｎｍ〜６００ｎｍの波長範囲の光を透過させることができるエキサイタフィルタ）を挙げることができ（図２の符号Ｈ２参照）、前記第２フィルタＦ２としては、前記第２の波長範囲が６４０ｎｍ〜７４０ｎｍの波長範囲であるバリアフィルタ（つまり、６４０ｎｍ〜７４０ｎｍの波長範囲の光を透過させることができるバリアフィルタ）を挙げることができる（図２の符号Ｈ３参照）。また、前記第１フィルタ移動手段Ｇ１や前記第２フィルタ移動手段Ｇ２としては、駆動モータや種々のアクチュエータを挙げることができる。
【００２４】
ところで、前記第１撮影モードにおいては、前記第１フィルタＦ１及び前記第２フィルタＦ２は光路外の位置（つまり、第１フィルタ抜去位置及び第２フィルタ抜去位置）に退避した状態となり、反射光ＬＢは前記光路分割手段３０によって前記第１光路ＰＢ１と前記第２光路ＰＢ２とに分割されることとなる。したがって、前記第２カメラＣ２を使ってアライメントを行った上で前記第１カメラＣ１を使ってカラー撮影をすることが可能となる。このとき、該第１カメラＣ１のシャッタを押下することにより前記撮影用の光源２１から光が出射されるようにすると良い。また、前記第２撮影モードにおいては、反射光ＬＢは前記第２光路ＰＢ２に進入することとなる。したがって、アライメント及び撮影は前記第２カメラＣ２によって行うこととなる。なお、前記第１フィルタＦ１及び前記第２フィルタＦ２の光路内への挿入は撮影と同時、すなわちシャッターボタンが押されると、フィルターＦ１，Ｆ２が挿入され、その後フラッシュランプ（つまり、撮影用の光源２１）が発光し、該第２カメラＣ２により画像が取り込まれるようにすると良い。また、前記第２フィルタＦ２として、前記第２の波長範囲が６４０ｎｍ〜７４０ｎｍのバリアフィルタを用い、前記光路補正手段３１として、６３０ｎｍ〜９５０ｎｍの波長範囲での透過率が９８％程度の透明なガラスを用いた場合には、反射光ＬＢのほとんどの光が前記第２カメラＣ２に導かれることとなり、明るい画像を取得することができる。
【００２５】
ところで、上述した撮影モード切換手段５は、
・  オペレータが操作する操作部５１と、
・  該操作部５１からの信号を前記フィルタ移動手段Ｇ１，Ｇ２や前記光路切換手段３２に送ってそれらの駆動を制御する駆動制御部５２と、
によって構成すると良い。なお、図１では、前記眼底撮影装置Ｄの側にスイッチやボタンやタッチパネル等を配置して前記撮影モード切換手段５の操作部５１とし、該眼底撮影装置Ｄの側に専用の回路基板を設けて該撮影モード切換手段５の駆動制御部５２としているが、前記パソコンＰＣに専用のアプリケーションソフトをインストールしておいて該パソコンＰＣを前記駆動制御部５２として機能させると共に、パソコンＰＣに接続されたキーボードやマウスなどを前記操作部５１として機能させるようにしても良い。その他の操作（つまり、眼底画像を撮影するときに必要な種々の操作）についても同様であって、該操作に必要な操作部や制御部はパソコンＰＣの側に設けるようにしても、或いは、前記眼底撮影装置Ｄの側に設けるようにしても、どちらでも良い。
【００２６】
本発明によれば、前記第１撮影モードにおいては前記反射光ＬＢは前記光路分割手段３０によって分割されて前記第１カメラＣ１及び前記第２カメラＣ２の両方に受光されるように構成されるので（図４（ａ）参照）、前記第２カメラＣ２で眼底の観察を行いながら、適宜前記第１カメラＣ１で眼底の撮影（好ましくはカラー撮影）を行うことができる。また、前記第２撮影モードにおいては前記反射光ＬＢは前記第１カメラＣ１に受光されるので、前記第１フィルタＦ１及び前記第２フィルタＦ２として適切なフィルタを使用することにより、自発蛍光撮影を行うことができる。
【００２７】
ところで、前記第１撮影モード（カラー撮影モード）を前記第２撮影モード（自発蛍光撮影モード）に変更する場合に前記光路分割手段３０を単に光路外に移動させただけでは、図４（ｂ）に示したように反射光ＬＢの光路が前記第２カメラＣ２の光軸Ｒからずれてしまうこととなるが、本発明によれば、前記光路補正手段３１が配置されて前記反射光ＬＢを前記第２カメラＣ２の方に導くように構成されているため、そのようなズレは発生せずに適正な眼底画像を撮影することができる。
【００２８】
なお、前記光路分割手段３０や前記光路補正手段３１の切り換えは、シャッタ操作と同時に行わずに、撮影モードの切り換えと同時に行うようにすると良い。
【００２９】
ところで、前記第２カメラＣ２を、静止画及び動画を撮影できるように構成されたものとした場合には、前記第１撮影モード及び前記第２撮影モードにおいて該第２カメラＣ２によって前記眼底を観察する際に動画撮影できることとなり、結局、
（１）  前記第１撮影モードの観察時における前記第２カメラＣ２による動画撮影
（２）  前記第２撮影モードの観察時における該第２カメラＣ２による動画撮影
（３）  該第２撮影モードにおける該第２カメラＣ２による静止画撮影
が可能となる。しかしながら、前記第１撮影モードでは前記光路分割手段３０が使用されているのに対して前記第２撮影モードでは前記光路補正手段３１が使用されており、該第２撮影モードの撮影時にはさらにフィルタＦ１，Ｆ２が使用されることとなり、前記第２カメラＣ２の受光量が異なってしまうこととなる。そこで、
・  前記第２カメラＣ２（正確には、その撮像素子Ｃ２ａ）にて出力される画像信号を増幅する増幅手段９０と、
・  前記第１撮像モードにおいて前記第２カメラＣ２により前記眼底を観察する場合と、前記第２撮像モードにおいて前記第２カメラＣ２により前記眼底を観察する場合と、前記第２撮像モードにおいて前記第２カメラＣ２により前記眼底を撮影する場合とで、眼底画像の明るさが略一定となるように前記増幅手段９０のゲインを調整するゲイン調整手段９１と、
を設けておくと良い。そのようにした場合には、前記（１）〜（３）のいずれの撮影をする場合においても、均一かつ適正な明るさの画像を得ることができる。なお、前記第２カメラＣ２についてのゲインだけではなく、前記第１撮影モードにおける前記第１カメラＣ１（撮像素子Ｃ１ａ）についてのゲインも調整するようにすると良い。なお、前記ゲイン調整手段９１は、
・  図１に例示するように本体内（つまり、前記眼底撮影装置Ｄの内部）に設けてもよいし、
・  本体外部（つまり、前記眼底撮影装置Ｄの外部）に接続するように設けてもよいし、
・  前記パソコンＰＣに専用のアプリケーションソフトをインストールしておいて該パソコンＰＣを前記増幅手段９０や前記ゲイン調整手段９１として機能させるようにしても良い。
【００３０】
ここで、前記ゲインの大きさを決める一例を述べる。まず前記（１）の場合（つまり、前記第１撮影モードの観察時において前記第２カメラＣ２による動画撮影を行う場合）と前記（２）の場合（つまり、前記第２撮影モードの観察時において該第２カメラＣ２による動画撮影を行う場合）では、ダイクロイックミラーの影響で前記（１）の場合のほうが光量が少なくなるので、前記（１）の場合の時のゲインを前記（２）の場合の時のゲインに比べて大きくする。一方、前記（３）の場合（つまり、該第２撮影モードにおいて該第２カメラＣ２による静止画撮影を行う場合）は、被検者の負担を少なくするため、なるべく低光量で撮影しようとするのであればゲインを大きく設定すればよいが、逆によい画質の画像を得ようとするのであれば、画像のノイズ低減の為にゲインを小さくして撮影光量を大きくすることも考えられるので、検者が任意にゲインと撮影光量とをそれぞれ設定できるようにしておくと便利であるし、よく使用されるゲインと撮影光量の組み合わせを選択できるようにしておいてもよい。
【００３１】
ところで、眼底画像を観察する際は眼底の中の比較的広い範囲（観察範囲）を観察できるようにした方が良い反面、眼底画像の縁部分（周辺部分）にはフレアが生じやすいことから  撮影時にはその周辺部分を除去してフレアが映り込まないようにすることが望まれる。一つの方法としては、前記ハーフミラー７１の光路下流側（図示の下側）に金属製等の視野マスク７３を配置しておいて、前記フレアを除去する方法が考えられる。しかしながら、自発蛍光撮影を行う前記第２カメラＣ２には高感度であることが優先されるがためにかなり低い解像度のものが使用されることが多々あるため、円形に切り抜かれた視野マスク７３の縁の部分は真円とはならずにジグザグの線になってしまい見栄えに欠けてしまうという問題がある。そこで、前記第２カメラＣ２で撮影された静止画像には電子マスクを自動的に施すようにして、撮影した画像の範囲を前記観察範囲よりも狭くし、前記フレアを除去するようにすると良い。
【００３２】
また一方、前記第２フィルタＦ２には絞りを一体化させておくと良い。そのようにした場合には、前記第２撮影モード（自発蛍光撮影）において撮影光（反射光）の光量調整（絞り径変更）を同時に行うことができる。
【００３３】
ところで、無散瞳の自発蛍光撮影を行う場合においては、被検者の縮瞳の具合によっては前記照明手段２からの光が眼底に十分に届かずに撮影画像が暗くなる場合がある。そこで、その対策としては、図３（ｂ）に示すように、前記穴あきミラー６４の孔部の直径をｂとし、傾斜角をθとした場合に、前記リングスリット６２の径ａ（同図（ｃ）参照）は、ａ＝ｂ・ｃｏｓθとなるようにすると良い。そのようにすることで、眼底に届く光量を可能な範囲で増加させて撮影画像を明るくすることができる。リングスリット６２のこのサイズは、穴あきミラー６４の傾斜角を考慮したものであって、余計なフレアが入らない最適なサイズである。しかしながら、光まわりの問題もあるので、現実には種々の要素のバランスを考慮して、このサイズより少し大きなサイズに設計される場合が多い。このようになるべく照明光量を効率的に使用することで、大型で出射光量が多い照明手段を用いる必要も無いので、発熱量の増加や、眼底撮影装置の大型化を防止することができる。
【符号の説明】
【００３４】
４              第１カメラ取付部
５              撮影モード切換手段
３０            光路分割手段
３１            光路補正手段
３２            反射光路切換手段
９０            増幅手段
９１            ゲイン調整手段
Ｃ１            第１カメラ
Ｃ２            第２カメラ
Ｆ１            第１フィルタ
Ｆ２            第２フィルタ
Ｇ１            第１フィルタ移動手段
Ｇ２            第２フィルタ移動手段
ＬＢ            反射光
ＰＡ            照明光路
ＰＢ            反射光路
ＰＢ１          第１光路
ＰＢ２          第２光路
【図１】
0006573965.tif 000002
【図２】
0006573965.tif 000003
【図３】
0006573965.tif 000004
【図４】
0006573965.tif 000005